(57)【要約】【課題】平面形状がコンパクトで狭い場所にも設置可能であり、便器設置位置を低くできるし尿浄化システムを提供する。【解決手段】固液分離型の便器１２と当該便器１２から落下した排泄物を含む洗浄水を受け入れる液槽１４及び固形物槽１６とを配設したトイレボックス１８と、トイレボックス１８の側面に配設され、洗浄水を浄化する浄化槽２０と、洗浄水を液槽１４から浄化槽２０内に送り込む配管２２と、洗浄水を浄化槽２０から便器１２内に導く配管２４と、浄化槽２０内に収容され、洗浄水の汚物の分解を促進する好気性菌の微生物とを備えた。浄化槽２０をトイレボックス１８の側面に配設してトイレボックス１８を小型化した。【選択図】図１
2007222700.tif 000002
【特許請求の範囲】
【請求項１】
固液分離型の便器と当該便器から落下した排泄物を含む洗浄水を受け入れる液槽及び固形物槽とを下部に配設したトイレボックスと、
前記トイレボックスの側面に沿って配設され、前記洗浄水を浄化する浄化槽と、
前記洗浄水を前記液槽から前記浄化槽内に送り込む往路配管と、
前記洗浄水を前記浄化槽から前記便器内に導く復路配管と、
前記浄化槽内に収容され、前記洗浄水の汚物の分解を促進する好気性菌の微生物とを備えたことを特徴とするし尿浄化システム。
【請求項２】
固液分離型の便器と当該便器から落下した排泄物を含む洗浄水を受け入れる液槽及び固形物槽とを配設したトイレボックスと、
前記トイレボックスの側面に沿って配設され、前記洗浄水を、前記トイレボックスの上部から前記便器内に導きながら浄化する浄化槽兼用配管と、
前記洗浄水を、前記液槽から前記浄化槽兼用配管の上部に送り込む配管と、
前記浄化槽兼用配管内に収容され、前記洗浄水の汚物の分解を促進する好気性菌の微生物とを備えたことを特徴とするし尿浄化システム。
【請求項３】
請求項１又は２記載のし尿浄化システムにおいて、
前記浄化槽内、又は前記浄化槽兼用配管内に、空気を送り込んで曝気処理をする曝気用パイプを配設したことを特徴とするし尿浄化システム。
【請求項４】
請求項１又は２記載のし尿浄化システムにおいて、
前記トイレボックスの上部に、ソーラパネルを配設したことを特徴とするし尿浄化システム。
【請求項５】
請求項４記載のし尿浄化システムにおいて、
前記洗浄水を前記液槽から前記トイレボックスの上部に送り込む前記往路配管を、前記ソーラパネルの近傍に沿わせて配設したことを特徴とするし尿浄化システム。
【請求項６】
請求項２記載のし尿浄化システムにおいて、
前記浄化槽兼用配管は、管体の複数本を、前記トイレボックスの側面に沿って上下方向に配置すると共に、上下に隣接する各管体の端部を管継手により着脱自在に連結してなるものであることを特徴とするし尿浄化システム。
【請求項７】
請求項６記載のし尿浄化システムにおいて、
前記トイレボックスの側面に位置する前記浄化槽兼用配管の内部に、好気性菌の微生物を収容すると共に、同浄化槽兼用配管の管体端部に、空気を送り込んで曝気処理をする曝気用パイプを着脱自在に配設したことを特徴とするし尿浄化システム。
【請求項８】
請求項６記載のし尿浄化システムにおいて、
前記管継手の洗浄水通路に、数種類の浄化材をそれぞれ網目シートからなる小袋に収容した状態で、着脱自在に挿入したことを特徴とするし尿浄化システム。
【請求項９】
請求項１記載のし尿浄化システムにおいて、
前記浄化槽は、縦に長い筒体を複数本並べ、これらの各端部を複数本の連結管で順次連結することにより構成されていることを特徴とするし尿浄化システム。
【請求項１０】
請求項９記載のし尿浄化システムにおいて、
前記各筒体の下部には、スラッジを排出するための排出孔が設けられ、
前記各排出孔に、常時閉のバルブを介してドレン管が連結されていることを特徴とするし尿浄化システム。
【請求項１１】
請求項９記載のし尿浄化システムにおいて、
前記筒体に、浄化剤を収納した細長の袋と、ブラックライトを収納した透明パイプと、曝気用のチューブとが収納されていることを特徴とするし尿浄化システム。
【発明の詳細な説明】
【技術分野】
【０００１】
本発明は、公園、キャンプ場等の屋外等におけるトイレに適する運搬可能なし尿浄化システムに関する。
【背景技術】
【０００２】
運搬可能なトイレには、清掃が容易な構造や設置し易さや特に老人や身体の動きが不自由な人の使い勝手のよさ等が要求され、様々な工夫が施されている。
また、戸外に設置する大型のトイレでは、浄化槽にし尿を蓄積し、酵素を用いて分解を促進することで、長期間清掃を不要にする構成のものが知られている（特許文献１参照）。また、固液分離型の便器を使用して排泄物を水分と固形分に分離し、このうち水分を浄化槽を流動させて浄化することにより洗浄水として再利用する構成のものも知られている（特許文献２参照）。
【特許文献１】特開平９−１１７１号公報
【特許文献２】特開２００４−３３７８５０号公報
【発明の開示】
【発明が解決しようとする課題】
【０００３】
ところで、上記の技術には、次のような解決すべき課題があった。
固液分離型の便器を使用して水分を浄化し、比較的きれいな洗浄水として再利用する、従来のし尿浄化システムでは、固液分離型の便器の下部開口直下に、固形物用の浄化漕が配置され、この固形物用の浄化漕の周囲を取り囲むように、複数の洗浄水用の浄化槽が配置された構成であるので、平面形状が大きくなって設置場所が限定されたり、便器設置面が地面から高くなって老人や身体の動きが不自由な人の使い勝手がよくないという支障を生じることがあった。
【０００４】
本発明は、上記の点に着目してなされたもので、平面形状がコンパクトで狭い場所にも設置可能であり、便器設置位置を低くできるし尿浄化システムを提供することを目的とする。
【課題を解決するための手段】
【０００５】
本発明の各実施例においては、それぞれ次のような構成により上記の課題を解決する。
〈構成１〉  固液分離型の便器と当該便器から落下した排泄物を含む洗浄水を受け入れる液槽及び固形物槽とを下部に配設したトイレボックスと、上記トイレボックスの側面に沿って配設され、上記洗浄水を浄化する浄化槽と、上記洗浄水を上記液槽から上記浄化槽内に送り込む往路配管と、上記洗浄水を上記浄化槽から上記便器内に導く復路配管と、上記浄化槽内に収容され、上記洗浄水の汚物の分解を促進する好気性菌の微生物とを備えたことを特徴とするし尿浄化システム。
【０００６】
浄化槽をトイレボックスの側面（背面を含む。）に沿って配設したことにより、トイレボックスの底部に設けた場合と比べてトイレボックスの平面形状及び高さを縮小できる。従って狭い場所にも設置可能であり、また、便器設置位置を低くして床面との段差を縮小できるから、例えば、車いす利用者のアクセスが容易である。
【０００７】
〈構成２〉  固液分離型の便器と当該便器から落下した排泄物を含む洗浄水を受け入れる液槽及び固形物槽とを配設したトイレボックスと、上記トイレボックスの側面に沿って配設されて上記洗浄水を、上記トイレボックスの上部から上記便器内に導きながら浄化する浄化槽兼用配管と、上記洗浄水を、上記液槽から上記浄化槽兼用配管の上部に送り込む配管と、上記浄化槽兼用配管内に収容され、上記洗浄水の汚物の分解を促進する好気性菌の微生物とを備えたことを特徴とするし尿浄化システム。
【０００８】
浄化槽兼用配管をトイレボックスの側面（裏面を含む。）に配設したことにより、構成１のものに比べてトイレボックスをさらに小型化できる。
【０００９】
〈構成３〉  構成１又は２記載のし尿浄化システムにおいて、上記浄化槽内、又は上記浄化槽兼用配管内に、空気を送り込んで曝気処理をする曝気用パイプを配設したことを特徴とするし尿浄化システム。
【００１０】
空気は空気ポンプから供給され、浄化槽内の微生物の活性化を図る。洗浄水の浄化処理を効率よく行うことができる。
【００１１】
〈構成４〉  構成１又は２記載のし尿浄化システムにおいて、上記トイレボックスの上部に、ソーラパネルを配設したことを特徴とするし尿浄化システム。
【００１２】
トイレボックス内で使用するポンプ、電磁弁、制御弁、照明灯、その他の電気機器の電力をソーラパネルにより提供できる。
【００１３】
〈構成５〉  構成４記載のし尿浄化システムにおいて、上記洗浄水を上記液槽から上記トイレボックスの上部に送り込む上記往路配管を、上記ソーラパネルの近傍に沿わせて配設したことを特徴とするし尿浄化システム。
【００１４】
往路配管内の洗浄水でソーラパネルの熱を吸収することによって、ソーラパネルの過熱を防止する冷却機能を発揮し、また、冬場のように寒いときには配管内の洗浄水がソーラパネルにより適度に加熱されて浄化槽に導入されるので、浄化槽内の微生物を活性化できるという効果が得られる。
【００１５】
〈構成６〉  構成２記載のし尿浄化システムにおいて、上記浄化槽兼用配管は、略コ字状に折曲げられた管体を備え、この管体の複数本を、上記トイレボックスの側面に沿って上下方向に配置すると共に、上下に隣接する各管体の端部を管継手により着脱自在に連結してなるものであることを特徴とするし尿浄化システム。
【００１６】
例えば、浄化槽兼用配管の補修の際、管継手のみを取り外して行えるので作業が簡単であり、浄化槽兼用配管のメンテナンスが容易である。
【００１７】
〈構成７〉  構成６記載のし尿浄化システムにおいて、上記トイレボックスの側面に位置する上記浄化槽兼用配管の内部に、好気性菌の微生物を収容すると共に、同浄化槽兼用配管の管体端部に、空気を送り込んで曝気処理をする曝気用パイプを着脱自在に配設したことを特徴とするし尿浄化システム。
【００１８】
曝気用パイプを浄化槽兼用配管に着脱自在に設けられているので、曝気用パイプのメンテナンスが容易である。
【００１９】
〈構成８〉  構成６記載のし尿浄化システムにおいて、上記管継手の洗浄水通路に、数種類の浄化材をそれぞれ網目シートからなる小袋に収容した状態で、着脱自在に挿入したことを特徴とするし尿浄化システム。
【００２０】
より効果的に洗浄水の浄化を行うことができると共に、浄化材の交換が簡単である。
【００２１】
〈構成９〉  構成１記載のし尿浄化システムにおいて、上記浄化槽は、縦に長い筒体を複数本並べ、これらの各端部を複数本の連結管で順次連結することにより構成されていることを特徴とするし尿浄化システム。
【００２２】
筒体を市販の下水等の配管部品をそのまま使用して構成できるから、浄化槽を低コストで構成できる。
【００２３】
〈構成１０〉  構成９記載のし尿浄化システムにおいて、上記各筒体の下部には、スラッジを排出するための排出孔が設けられ、上記各排出孔に、常時閉のバルブを介してドレン管が連結されていることを特徴とするし尿浄化システム。
【００２４】
簡単に浄化槽のメンテナンスをすることができる。
【００２５】
〈構成１１〉  構成９記載のし尿浄化システムにおいて、上記筒体に、浄化剤を収納した細長の袋と、ブラックライトを収納した透明パイプと、曝気用のチューブとが収納されていることを特徴とするし尿浄化システム。
【００２６】
細長の袋と透明パイプは、筒体の上蓋を取り外すことにより、細長の袋内の浄化剤やブラックライトを簡単に取り替えることができる。また点検も容易である。
【発明を実施するための最良の形態】
【００２７】
以下、本発明の実施の形態を詳細に説明する。
【実施例１】
【００２８】
図１は実施例１のし尿浄化システムの概略を示す説明図、図２〜図４はそれぞれ各部の具体例を示す斜視図である。
実施例１のし尿浄化システムは、図１に示すように、固液分離型の便器１２と当該便器から落下した排泄物を含む洗浄水１３を受け入れる液槽１４及び固形物槽１６とを配設したトイレボックス１８と、トイレボックス１８の側面に沿って配設され、洗浄水１３を浄化する浄化槽２０Ａ、２０Ｂと、洗浄水１３を送水ポンプ２３により液槽１４から浄化槽内に送り込む往路配管２２と、ほぼ重力で流下する洗浄水１３を浄化槽２０Ｂから便器１２内に導く復路配管２４と、浄化槽内に収容され、洗浄水１３の汚物の分解を促進する好気性菌の微生物とを備えている。
【００２９】
上記し尿浄化システムにおいては、最初に液槽１４、固形物槽１６、浄化槽２０Ａ、２０Ｂ等に既知の浄化材が散布収容される。そして、液槽１４や固形物槽１６で洗浄水１３の浄化作用が行われたときに発生した好気性菌の微生物が洗浄水１３を介して液槽１４から浄化槽２０Ａ、２０Ｂに送り込まれ浄化槽２０Ａ、２０Ｂ内底部に生息することになる。なお、固形物槽１６では図示を省略したが、常法により洗浄水１３を介して独自に浄化作業が行われる。そして、浄化された洗浄水１３が固形物槽１６から液槽１４に送り込まれる。
【００３０】
固液分離型の便器１２は、例えば、図２に示した便器本体と同様の構成を有するものである。すなわち、図２において、便器１２を構成する便器本体１１０は、上部開口１１１の上縁から下部開口１１３に向って滑らかに傾斜し、あるいは湾曲した内面を有する漏斗状の構造のものである。これは、例えば、プラスチック、あるいは金属の板を成形して構成される。便器本体１１０の下部開口１１３には、固液分離筒１２０が連結固定されている。
【００３１】
固液分離筒１２０の上部開口１２１は、便器本体１１０の下部開口１１３と一体に固定されている。固液分離筒１２０の上部開口１２１から下部開口１２２に至る部分には、漏斗状の傾斜した側壁１２３が設けられている。この側壁１２３は、例えば、金属の網から構成され、内側から外側に貫通する多数の貫通孔が形成されたものである。このように、固液分離筒１２０の下部開口１２２は、上部開口１２１よりも口径が大きく、側壁１２３が一定の傾斜を保つように構成されている。
【００３２】
固液分離筒１２０の下部開口１２２は、樋１３０の内壁１３４を取り囲むように連結されて固定されている。樋１３０は、環状部１３１と直線部１３２とを備える。環状部１３１の外側には外壁１３３、内側には内壁１３４が設けられている。従って、この樋１３０の環状部１３１に固液分離筒１２０を伝わって流れ落ちてきた洗浄水１３は、樋１３０の環状部を経て、直線部１３２から液槽に流れ落ちる。排泄物の大便である固形物は、固液分離筒１２０の上部開口１２１から下部開口１２２を通過して、真下の固形物槽１６（図１）内に落下する。一方、洗浄水１３は、その大部分が樋１３０に流れ込む。この洗浄水１３は、後で説明するように浄化されて、再び便器本体１１０の上部開口１１１から噴出される。
【００３３】
こうして、洗浄水を循環させながら浄化して再利用することで、外部からの水に供給を不要にする。しかも、使用中、常に洗浄水を流下させているため、便器本体１１０に汚れが付着せず、常に清潔な状態で使用できる。また、固液分離筒１２０によって、ほぼ大部分の洗浄水を樋１３０で受け止め、固形物と共に落下させないため、固形物槽１６を小型化することができる。同時に洗浄水を減少させることなく、循環させることができる。
【００３４】
トイレボックス１８は、例えば、街中で見かける電話ボックスと同程度の高さ（約２メートル）の六面体のボックスであり、一側面に開閉自在なドア１９（図５）が設けられ、屋根部分にソーラパネル３８が配設されている。ソーラパネル３８は、トイレボックス１８内外で使用するポンプ、電磁弁、制御弁、照明灯、その他の電気機器の電力を提供する電源となる。
【００３５】
往路配管２２は、トイレボックス１８の上部で切替弁２５を介して２つの配管２６、２７に分岐されている。一方の分岐配管２６は、図３に示すように、ソーラパネル３８に接して配設された洗浄水槽３７の一方端面に連結されている。洗浄水槽３７は、ソーラパネル３８とほぼ同じ平面形状サイズの箱状をなしており、その内部を流通する洗浄水によりソーラパネル３８の熱を適度に吸収するものである。洗浄水槽３７の他方端面に連結された配管３５により浄化槽２０Ａに連結されている。他方の分岐配管２７は、浄化槽２０Ａに直行して連結されている。
【００３６】
洗浄水槽３７によってソーラパネル３８の熱を適度に吸収することにより、例えば、夏場にはソーラパネルの過熱を防止する冷却機能を発揮し、また、特に冬場の寒いときには配管２６内の洗浄水がソーラパネル３８により適度に加熱されて浄化槽２０Ａ、２０Ｂに導入されるので、これらの浄化槽内の微生物を活性化できるという効果が得られる。状況に応じて切替弁２５を作動して、洗浄水を、一方の分岐配管２６もしくは他方の分岐配管２７のいずれかに導入させるようにする。
【００３７】
浄化槽２０Ａ、２０Ｂは、図１に示すように、トイレボックス１８の側面に沿って上部から下方に向って並べられ、かつ洗浄水を流下させる中間配管２８が連結された状態で配設されている。ここで、トイレボックス１８の側面とは、トイレボックス１８のドア１９（図５）面を正面とした場合、その背面を含むものである。また、トイレボックスの外側あるいは内側のいずれの側面でもよいものとする。
【００３８】
各浄化槽２０Ａ、２０Ｂは、１個、あるいは２個以上配備されていてもよく、図示しないが、内部に、洗浄水の汚物の分解を促進する好気性菌の微生物を備えている。
【００３９】
また、図４に示すように、浄化槽２０Ａ内に、空気ポンプ３６により空気を送り込んで曝気処理をする曝気用パイプ３０が配設されている。この曝気処理とは、曝気用パイプ３０に設けられている多数の気孔３２を通じて浄化槽内の水分中に気泡３４を送り込み、水分を攪拌して浄化槽内に生息する好気性菌を活性化することによって、し尿成分を分解し浄化するものである。浄化槽２０Ｂ内にも同様の曝気用パイプ３０が設けられている。
【００４０】
図１に示すように、復路配管２４は、洗浄水を浄化槽２０Ｂから便器１２内に導くものであるが、この中間部に制御弁２９が配設されている。この制御弁２９は、常時は復路配管２４を閉じて洗浄水の流れを止めており、トイレ使用時に復路配管２４を開いて洗浄水を便器１２に送り込むようにする。制御弁２９の開閉動作は、図示しないが、トイレボックス１８のドア１９や適所に設置したセンサ及びタイマによって適宜行われる。
【実施例２】
【００４１】
図５は実施例２のし尿浄化システムを示す説明図で、（ａ）は平面図、（ｂ）は浄化槽兼用配管３９の一部を平面的に展開して示す側面図である。この図においては、図１と共通する部分に同一符号を付している。
このし尿浄化システムの、実施例１の構成と異なる点は、実施例１の浄化槽２０Ａ、２０Ｂと復路配管２４の機能を一体とした浄化槽兼用配管３９を使用したことである。その他の構成については、図示を省略しているが、実施例１の場合と同様に、固液分離型の便器１２と当該便器１２から落下した排泄物を含む洗浄水を受け入れる液槽１４及び固形物槽１６とを配設したトイレボックス１８と、洗浄水を、液槽１４からトイレボックス１８の上部に送り込む往路配管２２とを使用している。
【００４２】
浄化槽兼用配管３９は、図５（ａ）に示すように、略コ字状に折曲げられた管体４０の複数本を、図５（ｂ）に示すように、トイレボックス１８の側面（ドア１９面を除く三側面）に沿って上下方向に配置すると共に、隣接する上下の各管体４０の端部に、後述する管継手４２を着脱自在に連結したものである。なお、浄化槽兼用配管３９は、トイレボックス１８の側面の外側あるいは内側のいずれに配置されてもよいものとする。
【００４３】
各管体４０は適度に傾斜しており、この中を通る洗浄水が自重で往復動しながら順次流下するようにされている。図５（ｂ）に示す矢印は、各管体４０内の洗浄水の流れ方向を示している。
浄化槽兼用配管３９のうち、下位の管体４０には図１に示した制御弁２９と同機能の制御弁５６が配設されている。
【００４４】
このし尿浄化システムでは、上位の浄化槽兼用配管３９内に、洗浄水の汚物の分解を促進する好気性菌の微生物を収容している。往路配管２２により最上位の管体４０に送り込まれた洗浄水は、各管体４０を往復移動し徐々に流下しながら、浄化されて便器１２まで導かれる。また、トイレボックス１８の上部にソーラパネル３８を配設してもよい。
【００４５】
図６はその浄化槽兼用配管３９の端部の一例を示す説明図で、（ａ）は断面図、（ｂ）は（ａ）のＡ−Ａ線に沿う断面図、（ｃ）は浄化槽兼用配管３９の端部の他の例を示す断面図である。
図６（ａ）に示すように、浄化槽兼用配管３９の各管体４０の端部は、管継手４２を介して着脱自在に連結されている。管継手４２は本管４２Ａの中間部に、直交する分岐管４２Ｂを備えており、一方の管継手４２の分岐管４２Ｂがその上位の他の管継手４２の本管に液密に嵌入された状態で取り付けられている。嵌入された分岐管４２Ｂは、その上端が開口され、かつその上位の他の管継手４２の本管内の上部に位置するように配置されている。図６（ａ）に示す矢印は、各管継手４２内の洗浄水の流れ方向を示している。
【００４６】
使用時には、図６（ｂ）に示されるように、上位の管継手４２内の洗浄水１３は、その水位が一定以上上昇したとき、分岐管４２Ｂの上部開口から下位の管継手４２に流下する。このため、各管体４０内の洗浄水１３は、その水位が分岐管４２Ｂの上部開口までの高さまで上昇しないと流下変動しないので、流れが全体的に緩くなる。従って、管体内底部の好気性菌の微生物が活動し易い状態となると共に、所定量の洗浄水を浄化槽兼用配管３９内にストックしておくことができる。
【００４７】
管継手４２を設けた、浄化槽兼用配管３９の各管体４０端部の管継手４２は、図５（ｂ）に示されるように、交互にずれて位置するように配置されている。これは、上下に位置する管継手４２どうしがその取付けやメンテナンスの際に邪魔にならないようにして各種の作業をし易くするためである。
【００４８】
浄化槽兼用配管３９のうち、下位の各管体４０では洗浄水を浄化する必要性が殆どないので、これらの管体の端部間は、図６（ｃ）に示されるように、分岐管４２の分岐管４２Ｂを他方の管体に嵌入されず、単に突合せ接合した状態で連結されている。
【００４９】
管継手４２の端面には栓体５２が着脱自在に結合されている。この栓体５２を貫通して曝気用パイプ４４が配設されている。曝気用パイプ４４は、配管５４を介して空気ポンプ５０から供給される空気を、多数の気孔４６を通じて浄化槽兼用配管３９内の水分中に気泡を送り込み、浄化槽兼用配管３９内の好気性菌の微生物を活性化する。
【００５０】
各管体４０上面の適所に空気抜き４８が設けられ、管体４０に送り込まれた空気が管体４０の外部に自由に放出されるようにされている。例えば、空気抜き４８は、逆止弁を配設した複数本の配管４８Ａが使用され、これらの配管４８Ａの各一端を各管体４０上面に設けた開口にそれぞれ連結し、他端をトイレボックス１８の上方に開口する１本の配管４９にそれぞれ集結するように連結することにより、臭いがトイレボックス１８の周辺にこもらないようにすることができる。
【００５１】
曝気用パイプ４４は、浄化槽兼用配管３９の各管体４０のすべての端部に設ける必要はない。また、曝気用パイプ４４は、各管体４０端部の着脱自在な管継手４２に連結されていることにより、補修や交換等を自由に行うことができメンテナンスが容易である。洗浄水を浄化槽兼用配管３９を使用して浄化するようにしたことにより、トイレボックス１８をさらに小型化できる。
【実施例３】
【００５２】
図７は実施例３のし尿浄化システムを示す説明図である。
図７は、図６（ｂ）に示した上位の管体４０内の洗浄水１３が分岐管４２Ｂの上部開口から下位の管体４０に流下する構成の変形例を示している。また、図６（ｂ）とほぼ同一部分に同一符号を付して重複説明を省略する。
【００５３】
この実施例では、図７に示すように、管継手４２の、洗浄水通路である分岐管４２Ｂ内に浄化材を挿脱自在に取付けている。すなわち、浄化材として、例えば、ガラス材と貝殻焼結材とを混合したもの６１、多孔質セラミック６２、牡蠣の貝殻６３が使用される。これらの浄化材は、それぞれ網目シートからなる小袋に収容され、重ねられて一体にされた状態で、分岐管４２Ｂ内に挿脱自在に挿入されている。浄化材は、紐６４で連結され、この紐６４を利用して、管継手４２の本管４２Ａ上部に気密に設けた開閉蓋６５付きの開口から出し入れ可能とされる。
【００５４】
このように構成することにより、洗浄水１３は流動過程でさらに効果的に洗浄される。また、開閉蓋６５から浄化材の出し入れが自由にできることから、メンテナンス時の交換や補充等が容易である。なお、図示を省略するが、図７に示す分岐管４２Ｂは、１つの本管４２Ａに複数本設けられて、これらにそれぞれ浄化材を収納したものでもよい。
【実施例４】
【００５５】
図８は、実施例４のし尿浄化システムの概略を示す説明図である。図８は、図１に示した洗浄水１３を浄化する浄化槽２０Ａ、２０Ｂに相当する浄化槽７０を縦型構成とし、さらに、復路配管２４に、コントローラ７４、室内照明７５、赤外センサ７６をそれぞれ設けた構成の変形例を示している。図９は同し尿浄化システムにおける浄化槽７０を示す説明図、図１０は同し尿浄化システムの浄化槽７０の一部を拡大して示す説明図、図１１は同し尿浄化システムを設置したトイレボックスの説明図である。これらの図には、図１と実質的に同一の部分には同一符号を付しており、重複説明を省略する。
【００５６】
この実施例４では、図８に示すように、洗浄水１３を浄化する浄化槽７０は、複数本の縦に長い筒体７０Ａ、７０Ｂ、７０Ｃ、・・を横に並べ、これらの上下の各端部を複数本の連結管７３で順次連結することにより構成されている。各連結管７３は各筒体７０Ａ、７０Ｂ、７０Ｃ、・・の上部と下部とを交互に連結するように配置されている。浄化槽７０は、トイレボックス１８（図１１）の背面に沿って配設されている。このような浄化槽７０は、筒体として市販の下水等の配管部品をそのまま使用して低コストで構成できるという利点がある。
【００５７】
トイレボックス１８には、室内照明灯７５と、トイレ利用者を検出する赤外センサ７６と、この赤外センサ７６による検出信号により、送水ポンプ２３を起動させたり、室内照明灯７５を点灯させるコントローラ７４が設けられている。
固形物槽１６は、液槽１４の中に引出し式に収納される箱体であり、液槽１４内とは液密に仕切られている。固形物槽１６は液槽１４内の洗浄水を外部に漏らすことなく液槽１４から引き出すことができるようにされている。固形物槽１６と液槽１４とは重複状態で設けられ、最小限の面積で設置可能である。
【００５８】
上記し尿浄化システムは、無人運転される。コントローラ７４は、トイレ利用者を検出すると、室内照明灯７５を点灯させ、送水ポンプ２３を起動させると同時に、配管の切替弁２５を開いて、洗浄水を流動させる。切替弁２５は第１番目の筒体７０Ａが一杯になると閉じる。送水ポンプ２３も停止する。常に第１番目の筒体７０Ａが一杯になるように、送水ポンプ２３と送り側の切替弁２５がコントローラ７４によって自動制御される。
【００５９】
トイレ利用者の検出信号が出力されている間、戻り側の制御弁２９が開放状態を維持して洗浄水を便器１２に供給する。また、利用者の検出信号の出力が停止した後も、一定時間、洗浄水を便器１２に供給し続ける。
第２番目以降の筒体７０Ｂ、７０Ｃ、・・には、その前段の筒体に収納された水が落差により流れ込んで一杯になる。各筒体の中で水が順に浄化されて、洗浄水に利用される。
【００６０】
図９に示すように、各筒体７０Ａ、７０Ｂ、７０Ｃ、・・の下部（底面）には、スラッジを排出するための排出孔が設けられている。各排出孔は、常時閉のバルブ７９を介してドレン管８０に連通されている。バルブ７９を開くと、各筒体７０Ａ、７０Ｂ、７０Ｃ、・・内のスラッジがドレン管８０を通じて外部に排出される。従って、ドレン管８０により、適時バルブ７９を開いて浄化槽７０のメンテナンスをすることができる。
【００６１】
図１０に示すように、筒体７０Ａには、浄化剤を収納した細長の袋８１と、ブラックライト（紫外線照射光）を収納した透明パイプ８２と、多数の気孔を有する曝気用のチューブ８３とが収納されている。細長の袋８１と透明パイプ８２は、各上端に鉤部材８１Ａ、８２Ａがそれぞれ連結され、筒体７０Ａ内に設けた横棒等に、それぞれ鉤部材８１Ａ、８２Ａを介して着脱自在に係止されている。
【００６２】
ブラックライトの電源コード８４と曝気用のチューブ８３は、筒体７０Ａの上蓋７１Ａから外部に引き出されている。電源コード８４は適宜電源（図示せず）に電気的に接続される。細長の袋８１と透明パイプ８２は、上蓋７１Ａを取り外すことにより、細長の袋８１内の浄化剤やブラックライトを簡単に取り替えられるようにされている。
【００６３】
曝気用のチューブ８３は、図示しないが、外部に配備された空気ポンプに配管等を介して接続される。この空気ポンプから供給される空気を、多数の気孔を通じて筒体７０Ａ内の洗浄水中に気泡を送り込み、筒体７０Ａ内の好気性菌の微生物を活性化する。筒体７０Ａの上蓋７１Ａには、換気孔７２Ａが設けられている。他の筒体７０Ｂ、７０Ｃ、・・も必要に応じて同様の構成としてもよい。
【００６４】
図１１は上記し尿浄化システムを設置したトイレボックスを示している。図１１に示すように、トイレボックス１８は、液槽１４及び固形物槽１６を配置した分だけ地面から高い台上に設置される。正面には出入り口用のドア１９が設けられている。背面には、浄化槽７０の複数本の筒体が縦置きに並べて取付けられている。トイレボックス１８の正面にはドア１９に向ってなだらかなスロープ８５が設けられ、車いすでも容易にトイレボックス１８内に進入できる。
【００６５】
本発明のし尿浄化システムは、大容量を必要とする浄化槽をトイレボックス１８の側面や背面に配置し、便器１２の下位には液槽１４と固形物槽１６のみを配置しているので、液槽１４と固形物槽１６の各水平方向の寸法を拡げてその分、高さを低くできることから、便器１２の設置位置を低くすることが可能である。また、トイレボックス１８の設置面積の縮小化を図ることができる。
【図面の簡単な説明】
【００６６】
【図１】実施例１のし尿浄化システムの概略を示す説明図である。
【図２】便器を示す斜視図である。
【図３】ソーラパネル及び洗浄水槽を示す斜視図である。
【図４】浄化槽及び曝気用パイプを示す斜視図である。
【図５】実施例２のし尿浄化システムの概要を示す説明図で、（ａ）は平面図、（ｂ）は浄化槽兼用配管の一部を平面的に展開して示す側面図である。
【図６】浄化槽兼用配管の端部の一例を示す説明図で、（ａ）は断面図、（ｂ）は（ａ）のＡ−Ａ線に沿う断面図、（ｃ）は浄化槽兼用配管の端部の他の例を示す断面図である。
【図７】実施例３のし尿浄化システムにおける浄化槽兼用配管の端部を示す説明図である。
【図８】実施例４のし尿浄化システムの概略を示す説明図である。
【図９】同し尿浄化システムにおける浄化槽を示す説明図である。
【図１０】同し尿浄化システム浄化槽の一部を拡大して示す説明図である。
【図１１】同し尿浄化システムを設置したトイレボックスを示す説明図である。
【符号の説明】
【００６７】
１２  便器
１４  液槽
１６  固形物槽
１８  トイレボックス
１９  ドア
２０Ａ  浄化槽
２０Ｂ  浄化槽
２２  往路配管
２３  送水ポンプ
２４  復路配管
２５  切替弁
２６  分岐配管
２７  分岐配管
２８  中間配管
２９  制御弁
３０  曝気用パイプ
３２  気孔
３４  気泡
３６  空気ポンプ
３８  ソーラパネル
【図１】
2007222700.tif 000003
【図２】
2007222700.tif 000004
【図３】
2007222700.tif 000005
【図４】
2007222700.tif 000006
【図５】
2007222700.tif 000007
【図６】
2007222700.tif 000008
【図７】
2007222700.tif 000009
【図８】
2007222700.tif 000010
【図９】
2007222700.tif 000011
【図１０】
2007222700.tif 000012
【図１１】
2007222700.tif 000013